(57)【要約】【課題】  天候などの影響を受けることなく、侵入物を適切に検知することができるエリア侵入物検知装置、面検知型感圧ユニット及び防犯システムを提供する。【解決手段】  シート状の振動伝導体３に伝わった砂利の振動を検知するエリア侵入物検知装置１であって、加えられた振動を水平方向に伝搬させるシート状の振動伝導体３と、振動伝導体３に取り付けられ、振動伝導体３を伝わる振動を検出する振動検出センサー５と、砂利からなり、振動伝導体３上に形成される第１の砂利層２と、振動伝導体３の下に形成される第２の砂利層４により構成される。【選択図】  図１
2006092393.tif 000002
【特許請求の範囲】
【請求項１】
多数の貫通孔が設けられ、振動を水平方向に伝搬させるシート状の振動伝導体と、
上記振動伝導体の振動を検出する振動検出センサーと、
上記振動伝導体上に砂利を敷設して形成される第１の砂利層とを備えたことを特徴とするエリア侵入物検知装置。
【請求項２】
上記振動伝導体の下に砂利を敷設して形成される第２の砂利層を備えたことを特徴とする請求項１に記載のエリア侵入物検知装置。
【請求項３】
上記砂利は、多数の小石からなり、その平均粒径が上記貫通孔の直径よりも大きいことを特徴とする請求項１又は２に記載のエリア侵入物検知装置。
【請求項４】
上記砂利は、多孔質のガラスまたはセラミックからなることを特徴とする請求項１又は２に記載のエリア侵入物検知装置。
【請求項５】
上記振動伝導体は、金属製の網からなり、その網目が上記貫通孔であることを特徴とする請求項１に記載のエリア侵入物検知装置。
【請求項６】
上記振動伝導体は、耐食性を有する金属からなることを特徴とする請求項１に記載のエリア侵入物検知装置。
【請求項７】
上記振動検出センサーは、振動伝導体を伝わる振動の振幅に応じて電圧レベルが変化する電気信号を生成する圧電素子と、
上記圧電素子を収容する箱体とからなることを特徴とする請求項１に記載のエリア侵入物検知装置。
【請求項８】
シート状の振動伝導体に伝わる砂利の振動を検知するエリア侵入物検知装置に用いられる面検知型感圧ユニットであって、
多数の貫通孔が設けられ、振動を水平方向に伝搬させるシート状の振動伝導体と、
上記振動伝導体に取り付けられ、振動伝導体を伝わる振動を検出して検出信号を生成する振動検出センサーと、
上記検出信号に基づいてエリア内への侵入物を判別して発報を行う報知装置とを備えたことを特徴とする面検知型感圧ユニット。
【請求項９】
建物の周囲に設置され、シート状の振動伝導体に伝わる砂利の振動を検知する２以上のエリア侵入物検知装置と、各エリア侵入物検知装置を制御するコントローラとからなる防犯システムにおいて、
上記各エリア侵入物検知装置は、多数の貫通孔が設けられ、振動を水平方向に伝搬させるシート状の振動伝導体と、
上記振動伝導体に取り付けられ、振動伝導体を伝わる振動を検出して検出信号を生成する振動検出センサーと、
上記振動伝導体上に砂利を敷設して形成される第１の砂利層と
上記検出信号に基づいてエリア内への侵入物を判別する報知装置とを備え、
上記コントローラは、エリア侵入物検知装置ごとに得られる侵入物の判別結果に基づいて、各エリア侵入物検知装置の制御を行うことを特徴とする防犯システム。
【発明の詳細な説明】
【技術分野】
【０００１】
本発明は、エリア侵入物検知装置、面検知型感圧ユニット及び防犯システムに係り、更に詳しくは、建物周辺などの検知エリア内に敷設された砂利の振動を検知するエリア侵入物検知装置に関する。
【背景技術】
【０００２】
家屋などの建物の周囲に設置され、外部から建物の敷地内へ侵入する不審者などの侵入物を検知する侵入物検知装置には、赤外線による赤外線センサーや、赤外線又は超音波により人の動きを検出する人感センサーが主としてに用いられている。また、特殊なセンサーとしては、テンション検知式センサー、マットセンサー、感圧コードセンサーなどが屋外用センサーとして用いられている。
【０００３】
赤外線センサーは、発光素子から出射された赤外線を受光素子で受光し、その受光量の変化から侵入物の検出を行っている。このような赤外線センサーでは、発光素子及び受光素子間を直線的に結ぶ赤外線が侵入物によって遮断された場合に侵入物が検出されることから、雨、雪、霧などの影響を受け易いという問題があった。また、赤外線が遮断されれば、侵入物とみなされるので、人とそれ以外の侵入物（例えば鳥）との識別が困難であるという問題があった。また、人感センサーは、風などの影響を受け易いことから、屋外では使用しづらいという問題があった。
【０００４】
テンション検知式センサーは、外壁やフェンスなどにワイヤーが張架され、当該ワイヤに加えられた力によって生じる断線状態を検出することで侵入物を検知している。このようなテンション検知式センサーでは、ワイヤーが露出された状態で設置され、当該ワイヤーに接触しなければ検知されないことから、回避され易いという問題があった。
【０００５】
マットセンサーは、マット面上に多数のスイッチが配設され、マット面上の任意の点における押圧力がいずれかのスイッチによって検出される面検知型感圧センサである。これらのスイッチはマット面上に所定間隔をおいて配設されることから、比較的大きな圧力でなければ検出することができず、検出感度が悪いという問題があった。また、マット面の広さに応じて必要なスイッチの数も増大し、検知エリアとして広い範囲をカバーしようとすれば、コストが過大になってしまうという問題があった。
【０００６】
感圧コードセンサーは、地面に埋設されるケーブル（感圧コード）に加えられた圧力によってケーブルの電気抵抗が変化するのを検出することにより、侵入物を検知している。このような感圧コードセンサーでは、ケーブルが侵入物によって押圧された場合に侵入物が検出されることから、エリア内を広範囲にカバーしようとすると、ケーブルの埋設密度を増やさなければならず、コストが過大になってしまうという問題があった。
【発明の開示】
【発明が解決しようとする課題】
【０００７】
上述した通り、従来の侵入物検知装置では、天候などの影響を受け易く、誤報が生じ易いという問題があった。また、広い検知エリアをカバーさせたい場合に、コストが著しく増大してしまうという問題があった。さらに、ほとんどの侵入検知装置が視認可能であることから、侵入者に察知され回避され易いという問題があった。
【０００８】
本発明は、上記事情に鑑みてなされたものであり、天候などの影響を受けにくく、侵入物を適切に検知することができるエリア侵入物検知装置、面検知型感圧ユニット及び防犯システムを提供することを目的とする。特に、広い検知エリアをカバーすることができ、、侵入者に察知されにくいエリア侵入物検知装置を安価に提供することを目的とする。
【課題を解決するための手段】
【０００９】
第１の本発明によるエリア侵入物検知装置は、多数の貫通孔が設けられ、振動を水平方向に伝搬させるシート状の振動伝導体と、上記振動伝導体の振動を検出する振動検出センサーと、上記振動伝導体上に砂利を敷設して形成される第１の砂利層とを備えて構成される。
【００１０】
この様な構成により、砂利から振動伝導体に伝わり、さらに振動伝導体を伝搬した振動が振動検出センサーによって検出されるので、検知エリア内への侵入物を適切に検知することができる。すなわち、外部から侵入した不審者が、検知エリア内に敷設された砂利を踏むと、第１の砂利層に加えられる圧力の変化が振動となり、この振動が第１の砂利層から振動伝導体に伝わって侵入物として検知される。その際、シート状の振動伝導体を介して振動が水平方向に伝搬されるので、検知エリアとして広い範囲をカバーすることができる。特に、１つの振動検出センサーによって、水平面内の広い範囲をカバーすることができるので、コストを増大させることなく、侵入物を効果的に検知することができる。
【００１１】
また、振動伝導体には多数の貫通孔が設けられており、第１の砂利層の排水性を向上させることができるため、屋外にも設置することができる。さらに、振動伝導体上には、第１の砂利層が形成されているので、振動伝導体が露出するのを防ぐことができる。従って、侵入者に検知装置の存在が察知されにくく、侵入物を効果的に検知することができる。
【００１２】
また、第２の本発明によるエリア侵入物検知装置は、上記構成に加え、上記振動伝導体の下に形成される第２の砂利層を備えて構成される。この様な構成により、地面などに直接に振動伝導体を設置するのに比べ、振動が振動伝導体を伝わり易くなるので、侵入物を効果的に検出することができる。
【００１３】
また、第３の本発明によるエリア侵入物検知装置は、上記構成に加え、上記砂利が、多数の小石からなり、その平均粒径が上記貫通孔の直径よりも大きくなるように構成される。この様な構成によれば、砂利が振動伝導体の貫通孔をすり抜けるのを抑制することができるので、施工後に振動伝導体が第１の砂利層上に浮き上がり露出するのを防止し、第１の砂利層を振動伝導体上に保持しておくことができる。従って、侵入物による振動を効果的に振動伝導体に伝え、また、侵入者に当該検知装置の存在を察知されにくい状態を長期間にわたって維持することができる。
【００１４】
また、第４の本発明によるエリア侵入物検知装置は、上記構成に加え、上記砂利が、多孔質のガラスまたはセラミックからなるように構成される。この様な構成によれば、エリア侵入検知装置を軽量化することができるとともに、排水性を向上させることができる。また、侵入物により第１の砂利層に圧力が加えられた際、砂利が擦れあって大きな軋み音が生じるため、防犯性を向上させることができるとともに、振動検出センサーによる振動検出感度を向上させることができる。
【００１５】
また、第５の本発明によるエリア侵入物検知装置は、上記構成に加え、上記振動伝導体が、金属製の網からなり、その網目が上記貫通孔となるように構成される。この様な構成によれば、当該検知装置をより軽量化させ、排水性をさらに向上させることができる。また、振動伝導体が金属製の網からなるので、設置面の形状に合わせて変形させれば、安定性を損ねることなく、起伏のある検知エリアであっても容易に敷設することができる。
【００１６】
また、第６の本発明によるエリア侵入物検知装置は、上記構成に加え、上記振動伝導体が、耐食性を有する金属からなるように構成される。この様な構成によれば、振動伝導体を錆びにくくすることができ、屋内だけでなく屋外にも設置することができる。
【００１７】
また、第７の本発明によるエリア侵入物検知装置は、上記構成に加え、上記振動検出センサーが、振動伝導体を伝わる振動の振幅に応じて電圧レベルが変化する電気信号を生成する圧電素子と、上記圧電素子を収容する箱体とからなるように構成される。この様な構成によれば、振動伝導体を伝わる振動の振幅に応じて電圧レベルが変化する電気信号が生成されるので、電圧レベルの変化量から人と人以外の侵入物とを識別させることができる。
【００１８】
第８の本発明による面検知型感圧ユニットは、シート状の振動伝導体に伝わる砂利の振動を検知するエリア侵入物検知装置に用いられる面検知型感圧ユニットであって、多数の貫通孔が設けられ、振動を水平方向に伝搬させるシート状の振動伝導体と、上記振動伝導体に取り付けられ、振動伝導体を伝わる振動を検出して検出信号を生成する振動検出センサーと、上記検出信号に基づいてエリア内への侵入物を判別して発報を行う報知装置とを備えて構成される。なお、報知装置による発報は、例えば、警告音の出力であってもよいし、電子メールやカメラ撮影画像の送信などであってもよい。
【００１９】
第９の本発明による防犯システムは、建物の周囲に設置され、シート状の振動伝導体に伝わる砂利の振動を検知する２以上のエリア侵入物検知装置と、各エリア侵入物検知装置を制御するコントローラとからなる防犯システムにおいて、上記各エリア侵入物検知装置は、多数の貫通孔が設けられ、振動を水平方向に伝搬させるシート状の振動伝導体と、上記振動伝導体に取り付けられ、振動伝導体を伝わる振動を検出して検出信号を生成する振動検出センサーと、上記振動伝導体上に砂利を敷設して形成される第１の砂利層と上記検出信号に基づいてエリア内への侵入物を判別する報知装置とを備え、上記コントローラは、エリア侵入物検知装置ごとに得られる侵入物の判別結果に基づいて、各エリア侵入物検知装置の制御を行うように構成される。
【００２０】
この様な構成によれば、振動伝導体に伝わった砂利の振動が、振動伝導体に取り付けられた振動検出センサーによって検出され、エリア侵入物検知装置ごとにエリア内への侵入物を適切に検知することができる。その際、コントローラが複数のエリア侵入物検知装置により得られた侵入物の検知結果に基づいて各検知装置を制御している。すなわち、１つの検知装置の制御を他の検知装置の検知結果に基づいて行うことができ、誤報の発生を抑制することができる。
【００２１】
例えば、１つのエリア侵入物検知装置において侵入物が検知されると、当該検知装置に隣接するエリア侵入物検知装置における振動検出センサーの検出感度が引き上げられる。従って、侵入物が検知されるまでは各検知装置の検出感度を下げておくことで誤報が生じるのが抑制される一方、侵入物がある検知装置で検知された場合には、その検知装置に隣接する検知装置の検出感度を引き上げることにより、侵入物が検知された検知エリアに隣接する検知エリアを重点的に監視することができる。
【発明の効果】
【００２２】
本発明によるエリア侵入物検知装置、面検知型感圧ユニット及び防犯システムによれば、シート状の振動伝導体により振動を水平方向に伝搬させているため、振動伝導体を広げることにより、振動検出センサーを増大させることなく、広い検知エリアをカバーすることができる。従って、検知エリアが広い場合でも、コストを著しく増大させることなく、侵入物を効果的に検知することができる。また、エリア侵入検知装置が察知されにくく、侵入者に回避されにくい。
【発明を実施するための最良の形態】
【００２３】
実施の形態１．
図１は、本発明の実施の形態１によるエリア侵入物検知装置の一構成例を示した斜視図であり、「ジャリセンサー」の施工後の様子が示されている。本実施の形態によるエリア侵入物検知装置１は、第１の砂利層２、振動伝導体３、第２の砂利層４及び振動検出センサー５からなり、押圧力により生じた砂利（ジャリ）の振動をシート状の振動伝導体３を介して検出する圧力感応型のセンサー（以下、ジャリセンサーという）である。
【００２４】
振動伝導体３は、加えられた振動を水平方向に伝搬させるためのシート状の部材であり、ここでは、金属製の網（金網）が振動伝導体３として用いられている。シート面内の１点に加えられた振動を振動伝導体３のシート面に沿って十分に拡散させることができるものであれば、金網以外のものであっても良い。金網以外のシート状の部材を振動伝導体３として用いる場合には、排水性を向上させるために、網目に相当する多数の貫通孔またはスリットを当該部材のシート面に設ける必要がある。また、振動伝導体３としては、建物の敷地などに設置する場合、地面などの設置面に起伏があっても、設置面の形状に合わせて変形可能なように可撓性を有することが好ましい。
【００２５】
振動検出センサー５は、振動伝導体３に取り付けられ、振動伝導体３を伝わる振動を検出し、検出信号を出力している。例えば、振動伝導体３を伝わる振動の振幅に応じた電圧レベルからなる電気信号が検出信号として出力される。
【００２６】
第１の砂利層２は、多数の小石からなる砂利（ジャリ）を振動伝導体３上に敷設して形成される。その際、振動伝導体３を覆うように、振動伝導体３の全面に砂利が敷き詰められていることが望ましい。また、上記砂利には、振動伝導体３の貫通孔に比べて、粒の大きなものが用いられる。例えば、振動伝導体３が円形の貫通孔を有する場合であれば、その直径よりも平均粒径の大きなものが用いられる。振動伝導体３が矩形の網目を有する金網であれば、当該網目の一辺の長さ（長辺及び短辺がある場合には短辺）よりも平均粒径の大きな玉砂利が用いられる。
【００２７】
振動伝導体３の網目の粗さを、第１の砂利層２を構成する各小石の平均的なサイズよりも細かくすることによって、砂利が振動伝導体３の網目をすり抜けるのを抑制することができる。従って、施工後に振動伝導体３が第１の砂利層２上に浮き上がって露出するのを防止し、砂利を振動伝導体３上に保持することができる。このため、侵入物による振動を効果的に振動伝導体３に伝えることができる状態を長期間にわたって維持することができる。また、侵入者に当該検知装置の存在を察知されにくい状態を長期間にわたって維持することができる。例えば、平均粒径が１５ｍｍを超える玉砂利を用いる場合であれば、振動伝導体３として、一辺が１５ｍｍ以下（例えば一辺１０〜１５ｍｍ）の矩形からなる網目を有するものが使用される。
【００２８】
また、上記砂利としては、自然界で採掘される天然石の他、人工的に製造されるガラスやセラミックからなる人工石を用いることができる。ここでは、検知装置を軽量化し、排水性を向上させるために、軽石のような多孔質の部材が砂利として用いられるものとする。特に、ガラス材を焼結させて形成される部材（例えば発泡石と呼ばれるもの）を砂利として用いれば、摩擦抵抗が増大するので、振動が砂利層を伝わる際に砂利が擦れあって生じる「ジャリ」という軋み音をより大きな音（例えば通常の砂利と比べれば５倍程度の音）として発生させることができる。
【００２９】
第２の砂利層４は、上述した様な砂利を振動伝導体３の下に敷設して形成される。その際、振動伝導体３の全面に敷き詰められていることが望ましい。振動伝導体３の下側にも砂利層を形成することにより、地面などに直接に振動伝導体３を設置するのに比べ、振動が振動伝導体３を伝わり易くなるので、侵入物を効果的に検出することができる。特に、降雨などにより地面がぬかるむと、地面に直に振動伝導体３を設置する場合、地面と振動伝導体３とが隙間なく密着し、振動伝導体３が振動しにくくなると考えられる。この様な状況下にあっても、地面と振動伝導体３との間に砂利層を設けることで、振動伝導体３が振動しにくくなるのを抑制することができる。なお、第２の砂利層４にも、第１の砂利層２と全く同様にして、振動伝導体３の貫通孔に比べて、粒の大きなものを用いることが望ましい。
【００３０】
この様な「ジャリセンサー」を建物の敷地などに設置する場合、地面などの設置面上の所定エリアを設置領域として、第２の砂利層４、振動伝導体３及び第１の砂利層２が形成される。振動を伝わり易くするという観点から、第２の砂利層４は、設置面が露出しないように設置領域内に均一な厚みで隙間なく敷き詰められていることが望ましい。また、第１の砂利層２も、振動伝導体３が露出しないように均一な厚みで隙間なく敷き詰められていることが望ましい。
【００３１】
具体的には、振伝導動体３の厚みＤ２は１〜数ｍｍであるのに対し、第１の砂利層２の厚みがＤ１＝４０ｍｍ以上、第２の砂利層４の厚みがＤ３＝４０ｍｍ以上とされる。また、このエリア侵入物検知装置を回避しづらくするという観点から、侵入物（不審者）が容易に飛び越え、或いは、跨いで侵入することができないように、ジャリセンサーの設置領域の幅及び長さは１ｍ以上とすることが望ましい。
【００３２】
図２（ａ）及び（ｂ）は、図１のエリア侵入物検知装置の要部を示した図であり、図２（ａ）には、振動伝導体３、振動検出センサー５及び報知装置１１からなる面検知型感圧ユニットが示され、図２（ｂ）には、そのシート面内の一部分Ａを拡大した様子が平面図として示されている。振動伝導体３には、屋外での使用を考慮して、ステンレス製の金網が用いられる。振動伝導体３に用いられる部材としては、ステンレス以外に耐食性を有する金属であれば他のものを用いても良い。また、耐食性を有しない金属（例えば、鉄）であっても、防錆用の塗装や表面処理を施せば振動伝導体３として用いることができる。
【００３３】
振動伝導体３を錆に強くすることにより、当該エリア侵入物検知装置の耐用年数を延ばすことができる。また、金属製の網とすることで、必要な強度を得ることができる。すなわち、人（侵入物）が踏んでも破れない程度以上の強度を容易に得ることができる。網目Ｂによるメッシュ構造とすることにより、ジャリセンサーの排水性を向上させることができ、屋外設置に適したエリア侵入物検知装置を得ることができる。
【００３４】
振動検出センサー５は、振動伝導体３を伝わる振動の振幅に応じて電圧レベルが変化する電気信号を検出信号として出力する圧電素子と、この圧電素子を収容するケース（箱体）からなる。このケースは屋外にも設置可能な防水構造を有していることが望ましい。圧電素子は、圧電効果によって振動を電気信号に変換するデバイスであり、振幅や振動数（または波長）が一定レベルに達することで、ジャリ特有の振動を検知し、人と人以外の侵入物との識別を可能にしている。
【００３５】
振動検出センサー５は、振動伝導体３のシート面上における端部に一端が固定されるＬ字型の金属板６を介して振動伝導体３に取り付けられている。従って、振動伝導体３に加えられた振動は、金属板６を伝わって振動検出センサー５に達することになる。なお、振動伝導体３のシート面から振動検出センサー５までの高さＤ４は、第１の砂利層２の厚みＤ１を考慮して１５０ｍｍ程度（地面からは２００ｍｍ程度）となっている。
【００３６】
報知装置１１は、上記検出信号に基づいて設置領域内への侵入物を判別し、警告音（アラーム）を生成する動作を行っている。この警告音によってユーザーに不審者の侵入を認識させることができるとともに、当該不審者に対しては威嚇効果が期待できる。これにより、不審者にエリア内への侵入を思いとどまらせることができ、犯罪を未然に防ぐことができる。
【００３７】
図３のステップＳ１０１〜Ｓ１０３は、図１のエリア侵入物検知装置の施工手順の一例を示したフローチャートである。まず、設置面上の所定エリア内に砂利を敷き詰めて第２の砂利層４を形成する（ステップＳ１０１）。
【００３８】
次に、振動検出センサー５、振動伝導体３（金網）及び報知装置１１からなる面検知型感圧ユニットを第２の砂利層４上に設置する（ステップＳ１０２）。この感圧ユニットの上に砂利を敷いて第１の砂利層２を形成すれば、このエリア侵入物検知装置の施工が完了する（ステップＳ１０３）。
【００３９】
本実施の形態によれば、外部から設置領域内へ侵入した不審者が砂利を踏むことによって第１の砂利層２に加えられる圧力の変化が振動となり、この振動が第１の砂利層２を介して振動伝導体３に伝わって侵入物として検知される。その際、シート状の振動伝導体３によって振動が水平方向に伝搬されるので、設置領域内を広範囲にカバーすることができる。特に、１つの振動検出センサー５によって水平面内の広い範囲がカバーされるので、コストを増大させることなく、侵入物を効果的に検知することができる。
【００４０】
また、振動検出センサー５が取り付けられる振動伝導体３上には、第１の砂利層２が形成されるので、振動伝導体３が露出するのを防ぐことができる。従って、当該エリア侵入物検知装置の存在が察知されにくくなるので、侵入物を効果的に検知することができる。さらに、侵入物により第１の砂利層２に圧力が加えられた際、砂利が擦れあって大きな軋み音が生じるため、防犯性を向上させることができるとともに、振動検出センサーによる振動検出感度を向上させることができる。
【００４１】
実施の形態２．
実施の形態１では、エリア侵入物検知装置１が独立して設置される場合の例について説明した。これに対し、本実施の形態では、家屋などの建物の周囲に複数のエリア侵入物検知装置１を設置し、これらのエリア侵入検知装置１を侵入物の判別状況に応じてコントロールする場合について説明する。
【００４２】
図４は、本発明の実施の形態２による防犯システムの一構成例を示したブロック図である。本実施の形態による防犯システム１０は、２以上のエリア侵入物検知装置１ａ及び１ｂと、各エリア侵入物検知装置１ａ及び１ｂを制御するコントローラ１２と、報知装置１３と、ライト１４と、監視カメラ１５と、モニター１６と、通信部１７とからなる。
【００４３】
この防犯システム１０では、振動検出センサー５及び報知装置１１からなる各エリア侵入物検知装置１ａ及び１ｂがいずれもコントローラ１２によって集約的に監視される。例えば、あるエリア侵入物検知装置１１において侵入物が検知されると、エリア侵入物検知装置１１から出力される警報信号に基づいて、建物内の報知装置１３を作動させてチャイム（警告音）を鳴らせ、ユーザーに報知する。また、このとき、当該エリア侵入物検知装置の設置領域を含むエリアを照明するライト１４を点灯させ、監視カメラ１５による受信映像をモニター１６上に出力させる。
【００４４】
さらに、ユーザーの不在時などには、エリア侵入物検知装置１１からの警報信号に基づいて、侵入物検知を知らせるための電子メール又は監視カメラ１５により撮影された画像データをユーザー指定の宛先へ通信部１７を介して送信させる。
【００４５】
図５は、侵入者を検知する際のセキュリティーレベルを概念的に示した図である。侵入者が侵入目的とする対象物（金庫など）Ｌ４が家屋などの建物Ｃ内に存在する場合について説明する。建物Ｃの敷地と外部との境界線（塀など）を第１次警戒線とすると、第１次警戒線よりも内側のエリアが第１次警戒エリアＬ１となる。そして、建物Ｃの周囲のエリアを第２次警戒エリアＬ２とすると、建物Ｃ内のエリアが第３次警戒エリアＬ３となる。
【００４６】
第１次警戒線を突破して建物Ｃ内へ侵入しようとする侵入者を第２次警戒エリアＬ２において検知し、建物Ｃに接近するのを阻止できれば、鍵などが破壊されるのを防ぐことができ、損害を最小限にとどめることができる。そこで、各エリア侵入物検知装置１ａ及び１ｂを第２次警戒エリアＬ２内に配置し、侵入者に建物Ｃ内への侵入を思いとどまらせることにより、防犯効果を向上させることができる。
【００４７】
図６は、図４の防犯システムにおける施工例を示した平面図であり、建物Ｃの敷地内に設置される４つのエリア侵入物検知装置１ａ〜１ｄ及びコントローラ１２からなるシステムの様子が示されている。家屋に設けられる窓やテラス、通用口の付近に各エリア侵入物検知装置１ａ〜１ｄが設置されている。例えば、居間やリビングの出入り口の位置に対応付け、或いは、台所や浴室における窓の位置に対応付けてエリア侵入物検知装置が配置される。
【００４８】
これらのエリア侵入物検知装置１ａ〜１ｄをリビングに設けられるコントローラ１２によって制御することにより、例えば、誤報を低減させる様々な制御を行わせることができる。
【００４９】
具体的には、１つのエリア侵入物検知装置１ａにおいて侵入者が検知されると、当該検知装置１ａの近くに配置されている他の検知装置１ｂまたは１ｄにおける振動検出センサー５の検出感度が引き上げられる。つまり、侵入者が検知されるまでは各検知装置の検出感度を下げておくことにより誤報の発生を抑制することができる一方、侵入者がある検知装置で検知された場合には、当該検知装置に予め関連付けられている検知装置の検出感度を引き上げることで侵入物が検知されたエリアに近いエリアを重点的に監視することができる。
【００５０】
本実施の形態によれば、砂利を介して振動伝導体３に伝わった振動が振動伝導体３に取り付けられた振動検出センサー５によって検出されるので、エリア侵入物検知装置ごとにエリア内への侵入物を適切に検知することができる。その際、コントローラ１２がエリア侵入物検知装置ごとに得られる侵入物の検知結果に基づいて各エリア侵入物検知装置を制御するので、誤報を低減させる様々な制御を行わせることができる。
【００５１】
図７は、図４の防犯システムにおける他の施工例を示した平面図であり、建物Ｃの敷地内に設置される６つのエリア侵入物検知装置１ａｘ，１ａｙ，１ｂ，１ｃ，１ｄｘ，１ｄｙ及びコントローラ１２からなるシステムの様子が示されている。エリア侵入物検知装置１ｃ，１ｄは、図６の場合と同様である。
【００５２】
２つのエリア侵入検知装置１ａｘ，１ａｙは隣接して配置されている。また、２つのエリア侵入検知装置１ｄｘ，１ｄｙも隣接して配置されている。より具体的には、居間の出入り口付近に設けられた砂利の敷設エリアを細分化し、エリア侵入検知装置１ａｙが家屋から遠いエリア、エリア侵入検知装置１ａｘが家屋に近いエリアに配置されている。また、浴室の窓付近に設けられた砂利の敷設エリアを細分化し、エリア侵入検知装置１ｄｘが建物（ここでは窓部分）に接するエリア、エリア侵入検知装置１ｄｙが、エリア侵入検知装置１ｄｘを囲むエリアに配置されている。
【００５３】
コントローラ１２は、エリア侵入検知装置１ａｘ，１ａｙから警報信号が出力される順序に基づいて侵入者の有無を判別し、警告音（チャイム）の出力、監視カメラ１５による撮影、電子メールや画像データの送信などの発報を行う。すなわち、エリア侵入検知装置１ａｙから警報信号が出力された後、予め定められた所定時間が経過する前に、エリア侵入検知装置１ａｘから警報信号が出力された場合、侵入者の侵入経路の順で侵入物が検知されているため、侵入者が存在すると判別される。逆に、エリア侵入検知装置１ａｙよりも先に、エリア侵入検知装置１ａｘから警報信号が出力された場合には、侵入者ではないと判別し、発報を行わない。
【００５４】
同様にして、コントローラ１２は、エリア侵入検知装置１ｄｘ，１ｄｙから警報信号が出力される順序に基づいて発報を行う。すなわち、エリア侵入検知装置１ｄｙから警報信号が出力された後、予め定められた所定時間が経過する前に、エリア侵入検知装置１ｄｘから警報信号が出力された場合、侵入者が存在すると判別される。逆に、エリア侵入検知装置１ｄｙよりも先に、エリア侵入検知装置１ｄｘから警報信号が出力された場合には、侵入者ではないと判別し、発報を行わない。
【図面の簡単な説明】
【００５５】
【図１】本発明の実施の形態１によるエリア侵入物検知装置の一構成例を示した斜視図であり、「ジャリセンサー」の施工後の様子が示されている。
【図２】図１のエリア侵入物検知装置の要部を示した図である。
【図３】図１のエリア侵入物検知装置の施工手順の一例を示したフローチャートである。
【図４】本発明の実施の形態２による防犯システムの一構成例を示したブロック図である。
【図５】侵入者を検知する際のセキュリティーレベルを概念的に示した図である。
【図６】図４の防犯システムにおける施工例を示した平面図である。
【図７】図４の防犯システムにおける他の施工例を示した平面図である。
【符号の説明】
【００５６】
１，１ａ〜１ｄ  エリア侵入物検知装置
２  第１の砂利層
３  振動伝導体（ステンレス製の金網）
４  第２の砂利層
５  振動検出センサー
６  金属板
１０  防犯システム
１１，１３  報知装置
１２  コントローラ
１４  ライト
１５  監視カメラ
１６  モニター
１７  通信部
Ｂ  網目
Ｃ  建物
【図１】
2006092393.tif 000003
【図２】
2006092393.tif 000004
【図３】
2006092393.tif 000005
【図４】
2006092393.tif 000006
【図５】
2006092393.tif 000007
【図６】
2006092393.tif 000008
【図７】
2006092393.tif 000009